(57)【特許請求の範囲】
【請求項１】
回転軸に当該回転軸を中心として回転自在に取り付けられた複数の支持部材と、各々の上記支持部材に一端部が固着されて上記回転軸の径方向外方へ延出するとともに外側先端部にローラーを備えたフレームと、当該フレームの外側先端部の上記ローラーを支持する走行レールと、上記フレームのうちの先頭となる上記フレームを上記回転軸を中心として回転駆動する駆動装置と、上記先頭のフレームから順次後続側に隣接する上記フレーム間に張設された遮光膜とを備え、
複数の上記フレームは、上記先頭となるフレームを含む上段フレーム群と、この上段フレーム群より一段下げた位置に設置される後続の下段フレーム群とからなり、かつ上記上段フレーム群は、収納時に上記水平方向に並行になるように上記支持部材に固着されていることを特徴とする遮光膜開閉装置。
【請求項２】
上記支持部材は、上記回転軸に軸支された水平支持プレートと、この水平支持プレートの外周部に取り付けられて上記フレームの一端部が固着された鉛直支持プレートとによって構成され、
上記複数の水平支持プレートは、上記回転軸に積層され、かつ上記複数の鉛直支持プレートは、上記フレームの回転方向後方側に向けて屈曲されるとともに、収納時に複数の上記フレームが上記水平方向に並行になるように、上記先頭のフレームが固着された上記鉛直支持プレートから後続の上記鉛直支持プレートに向けて、漸次上記屈曲の角度および高さ寸法が小さくなるように形成されていることを特徴とする請求項１に記載の遮光膜開閉装置。
【請求項３】
上記駆動装置は、フレームの上部に、所定距離をあけて回転軸に設置したメンテナンスブリッジであることを特徴とする請求項１または２に記載の遮光膜開閉装置。
【請求項４】
各フレームは回転軸方向に向けて下り勾配をつけて設置すると共に、各フレーム先端部を連結材で連結し、
回転軸の上部位置には中央遮光プレートを設け、
回転軸の下部位置には結露水受け用の中央受け樋及び水抜きパイプを設けたことを特徴とする請求項１乃至請求項３のいずれかに記載の遮光膜開閉装置。
【発明の詳細な説明】
【０００１】
【発明の属する技術分野】
本発明は、ドーム天井等の所定箇所に、明り取りのためのトップライトを設置した建築物の遮光膜開閉装置に関する。
【０００２】
【従来の技術】
ドーム天井等の所定箇所に、明り取りのためのトップライトを設置し、建築物の内部空間への採光を行い、快適環境の建築物とする装置がある。
しかし、暗転した内部空間を必要とするイベント等を行う場合には、トップライトを遮光する必要がある。
そのため従来は、遮光膜を設置したり撤去する装置で、本発明と類似したものとして以下の装置が考えらえる。
図９は、フレーム１、１間に張設した遮光膜２を閉じた状態を示す平面図であり、図１０はその側面図である。
フレーム１と回転軸３は直線的に接続され、走行レール４を一列としている。
図示の収納状態時には、全フレーム１が回転軸３に対して同じ軌跡で移動するため、回転軸３側のフレーム端部１ａが接触する位置は収納限界となる。
従って、収納時の状態は扇型となり広いスペースが必要となる。
【０００３】
図１１は、他の装置を示した平面図であり、図１２はその側面図である。
この場合は、フレーム１を縦に並べた配置としている。
平面的なスペースは最小限とできるが、上下方向にフレーム１の厚み分のスペースが必要となる。
また、各フレーム１、１にレベル差があるため各フレーム１、１毎に走行レール４が必要となり、コストアップとなる。
さらに展開時においては、先頭フレーム１と最終フレーム１との間にフレーム１の本数分だけの厚みによる隙間ができるため、完全に遮光するためにはこの隙間を塞ぐ必要がある。
【０００４】
【発明が解決しようとする課題】
本発明は上記従来の問題点を解決するためになされたもので、フレームの収納時には最小限の収納スペースに押さえ、フレームの展開時には、他の動力を利用して、新規な駆動装置を必要としない遮光膜開閉装置を提供することを目的とする。
【０００５】
【課題を解決するための手段】
請求項１に記載の遮光膜開閉装置は、回転軸に当該回転軸を中心として回転自在に取り付けられた複数の支持部材と、各々の上記支持部材に一端部が固着されて上記回転軸の径方向外方へ延出するとともに外側先端部にローラーを備えたフレームと、当該フレームの外側先端部の上記ローラーを支持する走行レールと、上記フレームのうちの先頭となる上記フレームを上記回転軸を中心として回転駆動する駆動装置と、上記先頭のフレームから順次後続側に隣接する上記フレーム間に張設された遮光膜とを備え、複数の上記フレームは、上記先頭となるフレームを含む上段フレーム群と、この上段フレーム群より一段下げた位置に設置される後続の下段フレーム群とからなり、かつ上記上段フレーム群は、収納時に上記水平方向に並行になるように上記支持部材に固着されていることを特徴とするものである。
請求項２に記載の発明は、請求項１に記載の発明において、記支持部材は、上記回転軸に軸支された水平支持プレートと、この水平支持プレートの外周部に取り付けられて上記フレームの一端部が固着された鉛直支持プレートとによって構成され、上記複数の水平支持プレートは、上記回転軸に積層され、かつ上記複数の鉛直支持プレートは、上記フレームの回転方向後方側に向けて屈曲されるとともに、収納時に複数の上記フレームが上記水平方向に並行になるように、上記先頭のフレームが固着された上記鉛直支持プレートから後続の上記鉛直支持プレートに向けて、漸次上記屈曲の角度および高さ寸法が小さくなるように形成されていることを特徴とするものである。
請求項３に記載の発明は、請求項１または２に記載の発明において、上記駆動装置が、フレームの上部に、所定距離をあけて回転軸に設置したメンテナンスブリッジであることを特徴とするものである。
請求項４に記載の発明は、請求項１ないし３のいずれかに記載の発明において、各フレームは回転軸方向に向けて下り勾配をつけて設置すると共に、各フレーム先端部を連結材で連結し、回転軸の上部位置には中央遮光プレートを設け、回転軸の下部位置には結露水受け用の中央受け樋及び水抜きパイプを設けたことを特徴とするものである。
【０００６】
【発明の実施の形態】
以下図面を参照しながら、本発明の実施形態について説明する。
【０００７】
＜イ＞要部構成
図１は本発明による遮光膜開閉装置Ｓの要部を示す斜視図である。
遮光膜開閉装置Ｓは、回転軸８に軸支する支持部材６と、外側先端部にローラーを備え、支持部材６に固着したフレーム１と、フレーム１、１間に張設した遮光膜により構成した遮光膜開閉装置Ｓである。
フレーム１は、水平支持プレート６ａ及び鉛直支持プレート６ｂから形成される支持部材６を介して、回転軸８に取付けたたとえばパイプ等により、回転軸８を中心として回転自在に取付けられている。
フレーム１に取付けた水平支持プレート６ａ及び鉛直支持プレート６ｂは、後述のようにそれぞれ角度及び高さを変化させているため、フレーム１が回転軸８を中心として回転移動する際は互いに干渉されずに回転することができる。
またフレーム１を収納時には、水平支持プレート６ａは回転軸８を中心として積層して収納されると共に、鉛直支持プレート６ｂは一様にコンパクトに収納することができる
【０００８】
＜ロ＞全体構成
図２は本発明による遮光膜開閉装置Ｓを採用した建築物の部分断面図である。
遮光膜開閉装置Ｓを採用する建築物は、たとえばドーム天井Ｄ等を有する建築物であり、ドーム天井Ｄの所定箇所に明り取りのための円形トップライトＴを設けている。
図３は遮光膜開閉装置Ｓの拡大断面図である。
遮光膜開閉装置Ｓは、各フレーム１の先端にローラ５を備え、フレーム１中心部を支持部材６で支持され、フレーム１、１間に張設した遮光膜２（図５）と、遮光膜２の上部空間に、所定距離をあけて設置したメンテナンスブリッジ７と、フレーム１中心部を軸支すると共に、円形トップライトＴ及びメンテナンスブリッジ７を軸支する回転軸８と、前記先端のローラ５を支持する走行レール４により構成される。
【０００９】
＜ハ＞フレーム
図４はフレーム１を収納した状態を示す平面図であり、図５はフレーム１を展開した状態を示す平面図である。
フレーム１は、展開時に先行して回転移動する複数の上段フレーム１ａ郡と、若干の（本実施の形態においては５本）下段フレーム１ｂ郡に区分され、下段フレーム１ｂ郡は上段フレーム１ａ郡より一段下げた位置に設置される。
上段フレーム１ａ郡の内の先頭の一本だけは、後述のメンテナンスブリッジ７と接続されており、メンテナンスブリッジ７の回転移動に連動して回転移動する構造としている。
各フレーム１の先端は、たとえばワイヤＷ等により円環状にそれぞれが連結されている。
【００１０】
＜ニ＞支持部材
図６はフレーム１と支持部材６の取付け状態を示す平面図であり、図７はその側面図である。
支持部材６はフレーム１の中心部を支持し、回転軸８に取付けるための部材である。
支持部材６は、フレーム１を水平方向から支持する水平支持プレート６ａ及びフレーム１を鉛直方向から支持する鉛直支持プレート６ｂから構成される。
水平支持プレート６ａは回転軸８を中心に、プレートの厚さとプレート間のクリアランス分を順次積層して軸支する複数のプレートである。
鉛直支持プレート６ｂは水平方向に順次角度を変化させていると共に、鉛直方向に順次高さを変化させて水平支持プレート６ａの下面とフレーム１間に取付けられている。（図１）
図７において、水平支持プレート６ａ上に設置された中央遮光プレート１１は後述の回転軸８に取付けられ、フレーム１中心部から入り込む明りを遮光する機能を果たすものである。
【００１１】
＜ホ＞ローラ及び走行レール
図８はフレーム１の先端部に設置したローラ５と、ローラ５を支持する走行レール４の詳細断面図である。
上段フレーム１ａの先端部には水平ローラ５ａ及び鉛直ローラ５ｂが設置されており、下段フレーム１ｂの先端部には、上段フレーム１ａと同一形状をしたローラ付きパイプ９が取付けプレート１０を介して取付けてある。
図中、走行レール４上に載置した車輪１２は、後述のメンテナンスブリッジ７を移動させるための車輪である。
【００１２】
＜ヘ＞遮光膜
図５において、遮光膜２は上段フレーム１ａ、１ａ間、上段フレーム１ａ、下段フレーム１ｂ間及び下段フレーム１ｂ、１ｂ間に張設される遮光機能を備えた膜である。
【００１３】
＜ト＞メンテナンスブリッジ（図２、図３）
メンテナンスブリッジ７は遮光膜２の上部空間に所定距離をあけて設置され、円形トップライトＴ、フレーム１及び遮光膜２のメンテナンスを行うための足場である。
メンテナンスブリッジ７の中央部は、フレーム１及び円形トップライトＴと共に回転軸８を共有して軸支されている。
メンテナンスブリッジ７の先端部には車輪１２（図８）が設置され、走行レール４上を回転移動する。
【００１４】
＜チ＞中央遮光プレート、中央受け樋、水抜きパイプ（図２、図３）
回転軸８の上部位置には中央遮光プレート１１を設け、回転軸８の下部位置には結露水受け用の中央受け樋１３及び水抜きパイプ１４を設けている。
中央遮光プレート１１は、フレーム１中心部から入り込む明りを遮光する機能を果たすものであり、円形を呈し回転軸８に設置固定されている。
中央受け樋１３は、回転軸８を挟んで中央遮光プレート１１の上下対称位置に設置され、フレーム１間に張設された遮光膜２から流れ落ちる結露水及び雨水等を受ける機能を果たすものである。
そのため、中央受け樋１３は中心部に向かって下り勾配とし、下部に水抜き用の穴を設け、水抜きパイプ１４に接続している。
【００１５】
【作用】
以下に、本発明による遮光膜開閉装置の作用を説明する。
【００１６】
＜イ＞遮光膜の展開
建築物内部でイベント等を行う場合には、暗転した内部空間を必要とするため円形トップライトＴを遮光する必要がある
そのため遮光膜開閉装置Ｓを作動し、フレーム１及び遮光膜２を全展開させ、円形トップライトＴ部分を覆う。
遮光膜開閉装置Ｓの作動は、メンテナンスブリッジ７を図示していない駆動装置により作動させることにより、フレーム１及び遮光膜２を全展開することができる。（図５）
メンテナンスブリッジ７の先端部には車輪１２（図８）が設置され、走行レール４上を回転移動する。
メンテナンスブリッジ７が展開時に回転移動する際、上段フレーム１ａの内の先頭の一本だけはメンテナンスブリッジ７と接続されているため、メンテナンスブリッジ７の回転移動に連動して回転移動するものである。
先頭の一本の上段フレーム１ａが回転移動するのに伴い、後続の上段フレーム１ａ及び下段フレーム１ｂはワイヤＷにより引張られ、順次回転移動していく。
展開時のフレーム１、１同士が干渉し合うことを防ぐため、最後に送られる下段フレーム１ｂ（本実施形態においては５本）は、一段下げた位置に取付けられているので、フレーム１、１同士が干渉し合うことなくスムースに展開することができる。
上記による遮光膜２の展開方法の他に、遮光膜開閉装置Ｓ単独に電動又は手動の駆動装置を設置することにより、遮光膜２を展開することも可能である。
【００１７】
＜ロ＞遮光膜の収納
ドーム天井Ｄ等の所定箇所に設置した明り取りのための円形トップライトＴから、建築物の内部空間へ採光を行う場合は遮光膜２を収納する。
図４は遮光膜２を収納した状態を示す平面図である。
遮光膜２の収納時は、前記先頭の一本の上段フレーム１ａが逆方向に移動し、隣合うフレーム１を後から押しながら収納していく。
隣合うフレーム１はそれぞれ水平支持プレート６ａ及び鉛直支持プレート６ｂによりずれて設置されているため、収納時にフレーム１、１同士が干渉し合うことなく収納することができる。
フレーム１の収納時には、水平支持プレート６ａ及び鉛直支持プレート６ｂはそれぞれ積み重ねられるため（図７）、最小面積で収納することができる。
【００１８】
【発明の効果】
本発明は以上説明したようになるから、次のような効果を得ることができる。
＜イ＞遮光膜開閉装置により、容易に遮光膜を開閉できるので、円形トップライトからの光を遮光し、施設内を暗転することができる。
＜ロ＞遮光膜の開閉はメンテナンスブリッジの動力を利用するため、新規に駆動装置を必要としない。
＜ハ＞フレームを並行に積み重ねて収納できるため、収納スペースを最小限に押さえることができる。
＜ニ＞展開時の遮光膜には結露受けの機能を持っているので、施設内への結露水の落下を防止できる。
【図面の簡単な説明】
【図１】本発明による遮光膜開閉装置の要部を示す斜視図。
【図２】本発明による遮光膜開閉装置を採用した建築物の部分断面図。
【図３】遮光膜開閉装置の拡大断面図。
【図４】フレームを収納した状態を示す平面図。
【図５】フレームを展開した状態を示す平面図。
【図６】フレームと支持プレートの取付け状態を示す平面図。
【図７】同上側面図。
【図８】フレームの先端部に設置したローラと、ローラを支持する走行レールの詳細断面図。
【図９】従来例を示す平面図。
【図１０】同上側面図。
【図１１】その他の従来例を示す平面図。
【図１２】同上側面図。
【図１】
0004098436.tif 000002
【図２】
0004098436.tif 000003
【図３】
0004098436.tif 000004
【図４】
0004098436.tif 000005
【図５】
0004098436.tif 000006
【図６】
0004098436.tif 000007
【図７】
0004098436.tif 000008
【図８】
0004098436.tif 000009
【図９】
0004098436.tif 000010
【図１０】
0004098436.tif 000011
【図１１】
0004098436.tif 000012
【図１２】
0004098436.tif 000013